(57)【要約】  本開示の実施形態において、各光電変換ユニット(１０)は、光電変換デバイス(１１)を収納するパッケージ(１２)を備え、パッケージ(１２)は、光が透過する窓(１３)を有する前面(１２ａ)、裏面(１２ｂ)、前面(１２ａ)と裏面(１２ｂ)との間の側面(１２ｃ)とを有している。パッケージ(１２)は、側面(１２ｃ)から光電変換デバイス(１１)の光入射面(１１ａ)に平行な第１の方向Ｘに突出する第１の連結部(１４)と、側面(１２ｃ)から第１の方向Ｘに後退する第２の連結部(１５)とを有している。第１の連結部(１４)は、光電変換デバイス(１１)に電気的に接続された第１の端子(１６)を有しており、第２の連結部(１５)は、光電変換デバイス(１１)に電気的に接続された第２の端子(１７)を有している。第１の連結部(１４)および第２の連結部(１５)は、互いに整合する形状およびサイズを有しており、第１の連結部(１４)および第２の連結部(１５)は、嵌め合いによって連結する。
2015045231.tif 000002
【特許請求の範囲】
【請求項１】
配列された複数の光電変換ユニットを備える光電変換装置であって、
前記複数の光電変換ユニットの各々は、
光入射面を有する少なくとも１つの光電変換デバイスと、
前記光電変換デバイスを収納し、収納された前記光電変換デバイスの前記光入射面に光を入射させるように構成されたパッケージと、
を備えており、
前記パッケージは、
光が透過する窓を有する前面と、
裏面と、
前記前面と前記裏面との間の側面と、
前記側面から前記収納された光電変換デバイスの前記光入射面に平行な第１の方向に突出する第１の連結部であって、前記光電変換デバイスに電気的に接続された第１の極性の第１の端子を有する第１の連結部と、
前記側面から前記第１の方向に後退する第２の連結部であって、前記光電変換デバイスに電気的に接続された、前記第１の極性とは反対極性の第２の極性の第２の端子を有する第２の連結部と、
を有し、
前記複数の光電変換デバイスは、前記第１および第２の端子を介して電気的に接続されている、光電変換装置。
【請求項２】
前記複数の光電変換ユニットは、前記第１の方向に沿って直列に配列された第１、第２、および第３の前記光電変換ユニットを含み、
前記第２の光電変換ユニットの前記第１の連結部は前記第１の光電変換ユニットの前記第２の連結部に連結し、前記第２の光電変換ユニットの前記第１の導電性端子が前記第１の光電変換ユニットの前記第２の導電性端子に電気的に接続され、
前記第２の光電変換ユニットの前記第２の連結部は、前記第３の光電変換ユニットの前記第１の連結部に連結し、かつ、前記第２の光電変換ユニットの前記第２の導電性端子が前記第３の光電変換ユニットの前記第１の導電性端子に電気的に接続されている、請求項１に記載の光電変換装置。
【請求項３】
前記複数の光電変換ユニットの各々は、
前記側面から前記光入射面に平行な、前記第１の方向とは異なる第２の方向に突出する第３の連結部と、
前記側面から前記第２の方向に後退する第３の連結部と、
を有し、
前記複数の光電変換ユニットは、前記第１の方向に沿って直列に配列された第４、第５、および第６の前記光電変換ユニットを含み、
前記第４、第５、および第６の光電変換ユニットの前記第３の連結部は、それぞれ、前記第１、第２、および第３の光電変換ユニットの第４の連結部に連結している、請求項２に記載の光電変換装置。
【請求項４】
前記光電変換デバイスは、光電変換部と、前記光電変換部に電気的に接続された蓄電部とを有する、請求項１から３のいずれかに記載の光電変換装置。
【請求項５】
光入射面を有する少なくとも１つの光電変換デバイスと、
前記光電変換デバイスを収納し、収納された前記光電変換デバイスの前記光入射面に光を入射させるように構成されたパッケージと、
を備え、
前記パッケージは、
光が透過する窓を有する前面と、
裏面と、
前記前面と前記裏面との間の側面と、
前記側面から前記収納された光電変換デバイスの前記光入射面に平行な第１の方向に突出する第１の連結部であって、前記光電変換デバイスに電気的に接続された第１の極性の第１の端子を有する第１の連結部と、
前記側面から前記第１の方向に後退する第２の連結部であって、前記光電変換デバイスに電気的に接続された、前記第１の極性とは反対極性の第２の極性の第２の端子を有する第２の連結部と、
を有する、光電変換ユニット。
【請求項６】
前記側面から前記光入射面に平行な、前記第１の方向とは異なる第２の方向に突出する第３の連結部と、
前記側面から前記第２の方向に後退する第４の連結部と、
を有する、請求項５に記載の光電変換ユニット。
【請求項７】
前記光電変換デバイスは、光電変換部と、前記光電変換部に電気的に接続された蓄電部とを有する、請求項５または６に記載の光電変換ユニット。
【請求項８】
前記光電変換部は前記光入射面側に位置し、前記蓄電部は前記光電変換部に対して前記光入射面の反対側に位置する、請求項７に記載の光電変換ユニット。
【請求項９】
前記蓄電部と前記光電変換部とを電気的に接続する内部回路を有している、請求項７または８に記載の光電変換ユニット。
【請求項１０】
前記第３の連結部には第３の端子が形成され、前記第４の連結部には第４の端子が形成されている、請求項５から９のいずれかに記載の光電変換ユニット。
【請求項１１】
前記光入射面の法線方向から視たとき、前記光電変換デバイスの中心位置は前記光電変換ユニットの中心位置から前記第一の方向にシフトしている、請求項５から１０のいずれかに記載の光電変換ユニット。
【請求項１２】
前記光電変換デバイスを前記第１の端子に接続する第１の接続配線と、
前記光電変換デバイスを前記第２の端子に接続する第２の接続配線と、
を有し、
前記光入射面に平行な平面から前記第１の接続配線までの距離は、前記平面から前記第２の接続配線までの距離とは異なる、請求項５から１１のいずれかに記載の光電変換ユニット。
【請求項１３】
前記第１の連結部における裏面側の面と前記第２の連結部における表面側の面とは、ほぼ同一平面上に位置している請求項５から１２のいずれかに記載の光電変換ユニット。
【請求項１４】
前記パッケージは、
前記前面を含み、前記第１および第２の連結部を有する第１の分割パッケージと、
前記光電変換デバイスを載せる面を有し、前記第１の分割パッケージの裏面に接合された第２の分割パッケージと、
を有している、請求項５から１３のいずれかに記載の光電変換ユニット。
【請求項１５】
前記パッケージは、
前記前面の一部を含む第１の分割パッケージと、
前記前面の他の部分を含み、前記第１の分割パッケージの側面に接合された第２の分割パッケージと、
を有している、請求項５から１３のいずれかに記載の光電変換ユニット。
【請求項１６】
請求項５に記載の第１および第２の光電変換ユニットを用意し、
前記第１の光電変換ユニットの前記第１の連結部と前記第２の光電変換ユニットの前記第２の連結部とを連結することにより光電変換装置を組み立てる、方法。
【請求項１７】
前記第１の光電変換ユニットの第１の光電変換デバイスと前記第２の光電変換ユニットの第２の光電変換デバイスとを電気的に直列に接続する、請求項１６に記載の方法。
【請求項１８】
請求項４に記載の光電変換装置を用意し、
前記光電変換装置に光を照射して前記光電変換デバイスの光電変換部に電力を発生させ、その電力を前記光電変換デバイスの蓄電部に充電する、光電変換装置の充電方法。
【発明の詳細な説明】
【技術分野】
【０００１】
本願は、光電変換デバイスを有する光電変換ユニット、および複数の光電変換ユニットを備える光電変換装置に関する。
【背景技術】
【０００２】
特許文献１には、複数の薄型電池が接続された構成が記載されている。この構成では、複数の電池のフランジ部分が溶接によって接続されている。【０００３】
特許文献２には、複数の扁平な角型電池が幅広面を対向させるように積層された組電池が開示されている。この構成では、複数の電池が凹凸形状を有する端子接続部によって機械的に接続されている。
【先行技術文献】
【特許文献】
【０００４】
【特許文献１】特開２００３−５９４６４号公報
【特許文献２】特開２０１１−７１０５３号公報
【発明の概要】
【発明が解決しようとする課題】
【０００５】
従来、複数の光電変換デバイスを高い自由度で機械的・電気的に脱着可能に接続することができる装置は知られていない。【０００６】
本開示の実施形態は、複数の光電変換デバイスを高い自由度で機械的・電気的に脱着可能に接続することができる光電変換ユニットと、そのような複数の光電変換ユニットを備える光電変換装置を提供する。
【課題を解決するための手段】
【０００７】
本開示の光電変換装置は、配列された複数の光電変換ユニットを備える光電変換装置であって、前記複数の光電変換ユニットの各々は、光入射面を有する少なくとも１つの光電変換デバイスと、前記光電変換デバイスを収納し、収納された前記光電変換デバイスの前記光入射面に光を入射させるように構成されたパッケージとを備えており、前記パッケージは、光が透過する窓を有する前面と、裏面と、前記前面と前記裏面との間の側面と、前記側面から前記収納された光電変換デバイスの前記光入射面に平行な第１の方向に突出する第１の連結部であって、前記光電変換デバイスに電気的に接続された第１の極性の第１の端子を有する第１の連結部と、前記側面から前記第１の方向に後退する第２の連結部であって、前記光電変換デバイスに電気的に接続された、前記第１の極性とは反対極性の第２の極性の第２の端子を有する第２の連結部とを有し、前記複数の光電変換デバイスは、前記第１および第２の端子を介して電気的に接続されている。【０００８】
本開示の光電変換ユニットは、光入射面を有する少なくとも１つの光電変換デバイスと、前記光電変換デバイスを収納し、収納された前記光電変換デバイスの前記光入射面に光を入射させるように構成されたパッケージとを備え、前記パッケージは、光が透過する窓を有する前面と、裏面と、前記前面と前記裏面との間の側面と、前記側面から前記収納された光電変換デバイスの前記光入射面に平行な第１の方向に突出する第１の連結部であって、前記光電変換デバイスに電気的に接続された第１の極性の第１の端子を有する第１の連結部と、前記側面から前記第１の方向に後退する第２の連結部であって、前記光電変換デバイスに電気的に接続された、前記第１の極性とは反対極性の第２の極性の第２の端子を有する第２の連結部とを有する。【０００９】
本開示の光電変換装置の組み立て方法は、上記の構成を有する第１および第２の光電変換ユニットを用意し、前記第１の光電変換ユニットの前記第１の連結部と前記第２の光電変換ユニットの前記第２の連結部とを連結することにより光電変換装置を組み立てる。【００１０】
本開示の光電変換装置の充電方法は、上記の光電変換装置を用意し、前記光電変換装置に光を照射して前記光電変換デバイスの光電変換部に電力を発生させ、その電力を前記光電変換デバイスの蓄電部に充電する。
【発明の効果】
【００１１】
本開示の実施形態によれば、複数の光電変換デバイスを高い自由度で機械的・電気的に脱着可能に接続して光電変換装置を構成することが可能になる。
【図面の簡単な説明】
【００１２】
【図１】（ａ）は、光電変換装置１００の上面図、（ｂ）は、（ａ）のｂ１−ｂ２線断面図、（ｃ）は、光電変換装置１００に含まれる光電変換ユニット１０の上面図、（ｄ）は、（ｃ）のｄ１−ｄ２線断面図
【図２Ａ】本開示の実施形態における光電変換ユニットの模式的な斜視図
【図２Ｂ】本開示の実施形態における光電変換ユニットの外観を示す斜視図
【図２Ｃ】本開示の実施形態におけるパッケージの斜視図
【図２Ｄ】本開示の実施形態における光電変換デバイスの斜視図
【図２Ｅ】本開示の実施形態における光電変換デバイスの等価回路図
【図３】（ａ）は、本開示の実施形態における光電変換ユニットの上面図、（ｂ）は、（ａ）のＡ１−Ａ２線断面図、（ｃ）は、（ａ）のＢ１−Ｂ２線断面図
【図４】（ａ）は上パッケージを示す斜視図、（ｂ）は下パッケージを示す斜視図
【図５】（ａ）から（ｄ）は、上下パッケージを用いた光電変換装置の製造プロセスを示す工程断面図
【図６Ａ】上下分割パッケージを用いた光電変換ユニットの製造工程を示す斜視図
【図６Ｂ】上下分割パッケージを用いた光電変換ユニットの製造工程を示す上面図
【図６Ｃ】左右分割パッケージを用いた光電変換ユニットの製造工程を示す上面図
【図６Ｄ】左右分割パッケージを用いた光電変換ユニットの製造工程を示す断面図
【図７】（ａ）から（ｃ）は、上下パッケージを用いた光電変換装置の製造に使用され得る光電変換デバイスの構成を示す図
【図８】分割パッケージを用いた光電変換装置の製造工程を示す斜視図
【図９】（ａ）および（ｂ）は、パッケージのバリエーションを示す斜視図
【図１０】本開示による光電変換装置の実施形態を示す平面図
【図１１】（ａ）は、光電変換ユニットのための連結装置の構成例を示す平面図、（ｂ）は、その斜視図
【図１２】（ａ）は、連結装置の図１１（ａ）におけるＡ１−Ａ２線断面図、（ｂ）は、連結装置の図１１（ａ）におけるＢ１−Ｂ２線断面図
【図１３】本開示による光電変換装置の他の実施形態を示す平面図
【図１４】光電変換ユニットの使用形態を示す図
【図１５】（ａ）は、光電変換ユニットの他の例を示す平面図、（ｂ）は、（ａ）の光電変換ユニットを連結した光電変換装置の例を示す平面図
【図１６】（ａ）は、光電変換ユニットの更に他の例を示す平面図、（ｂ）は、（ａ）の光電変換ユニットを連結した光電変換装置の例を示す平面図
【図１７】（ａ）は、図１６（ａ）の光電変換ユニットのＡ１−Ａ２線断面図、（ｂ）は、そのＢ１−Ｂ２線断面図
【図１８】本開示の実施形態における光電変換デバイスの他の等価回路図である。
【図１９】本開示の実施形態における光電変換装置の主要部の等価回路図である。
【図２０】本開示の実施形態における光電変換装置の主要部の等価回路図である。
【図２１】本開示の実施形態における光電変換装置の主要部の等価回路図である。
【図２２】本開示の実施形態における光電変換装置の主要部の等価回路図である。
【発明を実施するための形態】
【００１３】
まず、図１を参照しながら、本開示による光電変換装置の限定的でない構成例を説明する。図１（ａ）は、この光電変換装置１００の上面図、図１（ｂ）は、図１（ａ）のｂ１−ｂ２線断面図、図１（ｃ）は、光電変換装置１００に含まれる光電変換ユニット１０の上面図、（ｄ）は、図１（ｃ）のｄ１−ｄ２線断面図である。
【００１４】
図１（ａ）、（ｂ）に例示される光電変換装置１００は、同一平面上に配列された複数の光電変換ユニット１０を備える。この例では、３個の光電変換ユニット１０が一列に配列されているが、１個の光電変換装置１００に含まれる光電変換ユニットの数は３個に限られず、２個であってもよいし、４個以上であってもよい。また、複数の光電変換ユニット１０は、１列に配列されている必要は無く、平面または曲面上において行および列状に配列され得る。
【００１５】
次に、図１（ｃ）、（ｄ）を参照して、光電変換ユニット１０の構成例を説明する。個々の光電変換ユニット１０は、光入射面１１ａを有する少なくとも１つの光電変換デバイス１１と、光電変換デバイス１１を収納するパッケージ１２とを備えている。光入射面１１ａは、概略的に平面状に拡がっているが、凹凸を有していてもよい。
【００１６】
光電変換デバイス１１は、光入射面１１ａに入射した光を電気エネルギに変換する機能および構造を有しているデバイスである。このようなデバイスは、典型的には、太陽電池、または、太陽電池と二次電池とを組み合わせた複合デバイスであり得る。このような複合デバイスの場合は、太陽電池で発生させた電気を蓄電池に充電することができる。太陽電池は、無機半導体または有機半導体によって実現され得るし、色素増感によって動作してもよい。二次電池は、典型的には固体電解質を有する電池であり得るが、他の構成を有する電池であってもよい。光電変換デバイス１１は、ダイオード、キャパシタ、スイッチなどの回路要素または内部回路を含み得る。また、光電変換デバイス１１は、不図示のコントローラまたは他の電子機器との間で有線または無線によるデータ交信を行うように構成されたインタフェースを有していてもよい。更に、光電変換デバイス１１が蓄電部を有する場合、充放電回路および充電状態を示すＬＥＤ（発光ダイオード）などの付属装置を有していてもよい。
【００１７】
パッケージ１２は、収納された光電変換デバイス１１の光入射面１１ａに光を入射させるように構成されており、光が透過する窓１３を有する前面１２ａ、裏面１２ｂ、前面１２ａと裏面１２ｂとの間の側面１２ｃとを有している。窓１３は、光を透過する機能を有していれば、単なる開口部であってもよいし、ガラスまたはプラスティックから形成された透光性部材であってもよい。パッケージ１２は、典型的には、樹脂などの絶縁材料、例えば半導体装置で一般的に用いられているエポキシ樹脂のうち特に防湿性にすぐれたものや、太陽電池で使用されているＥＶＡ樹脂（エチレン酢酸ビニル共重合体）、ＰＥＴ樹脂などを含むラミネート材料、あるいはガラスなどから形成され得る。一部に電気的接続または機械的接続のための金属部材または非金属の導電部材を含んでいてもよい。また、放熱や防湿のための金属部材を含んでいてもよい。
【００１８】
図示されているパッケージの概略的な形状は、薄板状の直方体であるが、パッケージ１２の概略形状は、この例に限定されない。
【００１９】
本開示の限定的ではない実施形態におけるパッケージ１２は、側面１２ｃから光電変換デバイス１１の光入射面１１ａに平行な第１の方向Ｘに突出する第１の連結部１４と、側面１２ｃから第１の方向Ｘに後退する第２の連結部１５とを有している。第１の連結部１４は、光電変換デバイス１１に電気的に接続された第１の端子１６を有しており、第２の連結部１５は、光電変換デバイス１１に電気的に接続された第２の端子１７を有している。第１の端子１６の極性と第２の端子１７の極性とは、互いに反対である。言い換えると、第１の端子１６の極性は「正」および「負」の一方であり、第２の端子１７の極性は「正」および「負」の他方である。第１の端子１６および第２の端子の極性は、光電変換デバイス１１と各端子１６、１７との接続によって決まる。
【００２０】
各光電変換デバイス１１によって発生した電力、または光電変換デバイス１１に蓄積された電力は、パッケージ１２の一対の端子１６、１７を介して光電変換ユニット１０の外部に取り出すことができる。図１（ａ）、（ｂ）の例では、３個の連結した光電変換ユニット１０のうち、図中の左端に位置する光電変換ユニット１０の第１の連結部１４が有する第１の端子１６と、図中の右端に位置する光電変換ユニット１０の第２の連結部１５が有する第２の端子１７とが、それぞれ、不図示の外部回路に電気的に接続されたとき、その外部回路に対して、光電変換装置１００から電力が供給され得る。
【００２１】
第１の連結部１４および第２の連結部１５は、互いに整合する形状およびサイズを有しており、第１の連結部１４および第２の連結部１５は、それぞれ、ジグソーパズルのピースが有する凸部および凹部に対応している。図１（ａ）、（ｂ）に示されるように、凸形状を有する第１の連結部１４は、隣接する光電変換ユニット１０における凹形状を有する第２の連結部１５に嵌っている。このような嵌め合いにより、隣接する２個の光電変換ユニット１０は機械的または物理的に連結している。また、この連結が実現しているとき、図１（ｂ）に示されるように、第１の連結部１４が有する第１端子１６の下面と第２の連結部１５が有する第２端子１７の上面とが接触し、それによって電気的な直列接続も実現している。図示される例では、第１の連結部１４における裏面側の面と第２の連結部１５における表面側の面とは、ほぼ同一平面上に位置している。直列に接続される光電変換ユニット１０の個数は、任意である。例えば１個の光電変換ユニット１０が発生する電圧をＶａボルト、外部の機器が必要としている電圧をＶｔボルトとするとき、Ｎ×Ｖａ≧Ｖｔを満たす整数Ｎ個の光電変換ユニット１０を直列に接続すればよい。なお、昇圧または降圧回路を付加すれば、光電変換ユニット１０の個数は任意である。
【００２２】
凸形状を有する第１の連結部１４および凹形状を有する第２の連結部１５のサイズは、材料強度に応じて適宜選択され得る。本実施形態において、これらの連結部が側面１２ｃから第１の方向Ｘに沿って突出または後退する距離は、例えば１ｍｍ〜１０ｍｍ程度の範囲内に設定され得る。また、第１端子１６の下面の面積および第２端子１７の上面の面積は、それぞれ、例えば０．５ｍｍ2〜３０ｍｍ2程度の範囲内に設定され得る。ただし、このサイズは、光電変換ユニット１０の全体が大型（例えば１辺の長さが１０ｃｍ以上）の場合、より大きな値に変更され得る。
【００２３】
ユーザが１個の光電変換ユニット１０に対して他の光電変換ユニット１０を押圧することにより、第１の連結部１４と第２の連結部１５との嵌め合いを実現する形態では、パッケージ１２のうち、少なくとも連結部１４、１５を構成する部分は、充分な大きさの機械的剛性および必要な程度の弾力性を有している。
【００２４】
なお、第１の連結部１４と第２の連結部１５との連結は、嵌め合いによって達成される必要は無く、ユーザによる脱着が可能な他の公知の構成を採用し得る。例えば、第１の連結部１４および第２の連結部１５の各々に極性が異なる磁石を固定しておけば、磁力を利用して第１の連結部１４と第２の連結部１５との連結を達成することができる。
【００２５】
図の例において、１個のパッケージ１２には１個の第１の連結部１４および１個の第２の連結部１５が設けられているが、１個のパッケージ１２に複数の第１の連結部１４および複数の第２の連結部１５が設けられていてもよい。また、第１および第２の連結部１４、１５の形状およびサイズは、図示されている例に限定されない。第１および第２の連結部１４、１５は、より複雑な形状を有しても良く、例えば、凹部と凸部とが複合した形状を有していてもよい。また、第１の方向Ｘに対して交差する第２の方向に突出する第３の連結部および第２の方向に後退する第４の連結部が設けられていてもよい。
【００２６】
個々の光電変換ユニット１０は、単独でも、その光電変換デバイス１１によって電力を生成し、第１および第２の端子１６、１７を介して電力を出力することができる。本開示による光電変換装置１００の限定的でない実施形態では、複数の光電変換ユニット１０が機械的または物理的に連結され、かつ、電気的にも接続される。その結果、光電変換装置１００内において、複数の光電変換デバイス１１は、第１および第２の端子１６、１７を介して、電気的に直列または並列に接続され得る。ただし、光電変換装置１００における光電変換ユニット１０の連結は、永久的なものではない。光電変換装置１００内における任意の光電変換ユニット１０は、ユーザによって脱着され得るように構成されている。光電変換装置１００から取り外された光電変換ユニット１０は、後に詳しく説明するように、他の電子機器に接続されて、その電子機器の充電に使用され得る。また、故障した光電変換ユニット１０が、故障していない光電変換ユニット１０に交換され得る。
【００２７】
以下、図面を参照しながら本開示の実施形態をより詳細に説明する。なお、各実施形態において、先行する実施形態と同様の構成をなすものには同じ符号を付して説明し、詳細な説明を省略する場合がある。また本開示は以下の実施形態に限定されるものではない。
【００２８】
（実施形態１）
＜光電変換ユニットの概略構成＞
図２Ａは本開示の実施形態１における光電変換ユニット１０００の構成を示す斜視図である。
【００２９】
図２Ａに示すように、光電変換ユニット１０００は、光電変換デバイス１０１と、光電変換デバイス１０１を収納したパッケージ１０２とを備えている。以下、光電変換デバイスを単に「デバイス」と称する場合がある。
【００３０】
デバイス１０１は、光電変換部１０１ａの表面である光入射面を有している。この光入射面に入射した光を光電変換部１０１ａで電気エネルギに変換し、電圧を発生させる。光電変換部１０１ａには、例えばストライプ形状の電極、正極配線、負極配線が形成されている。本実施形態における光電変換部１０１ａは、例えばシリコンから形成された太陽電池である。光電変換ユニット１０００の光入射面が表れている側を「表面側」、反対の側を「裏面側」と称する。
【００３１】
図示されているパッケージ１０２は、概略的には直方体の形状であって、表面側の一部にデバイス１０１を収容する凹部が形成された形状を有している。ただし、パッケージ１０２は、多様な形状を有し得る。本明細書では、パッケージ１０２の表面側の面を「表面」、裏面側の面を「裏面」、表面と裏面との間の面を「側面」と称する。
【００３２】
パッケージ１０２は、第１の凸型連結部１０３ａ１、第１の凹型連結部１０３ａ２、第２の凸型連結部１０３ｂ１、および第２の凹型連結部１０３ｂ２を有している。第１の凸型連結部１０３ａ１、第１の凹型連結部１０３ａ２、第２の凸型連結部１０３ｂ１、および第２の凹型連結部１０３ｂ２は、それぞれ、本開示における第１の連結部、第２の連結部、第３の連結部、第４の連結部として機能する。
【００３３】
第１の凸型連結部１０３ａ１は、嵌め合いによって第１の凹型連結部１０３ａ２と連結できる形状およびサイズを有している。本実施形態において、第１の凸型連結部１０３ａ１の形状およびサイズと第２の凹型連結部１０３ａ２の形状およびサイズは、凸部か凹部かの相違はあるが、実質的に同一である。同様に、第２の凸型連結部１０３ｂ１は、嵌め合いによって第２の凹型連結部１０３ｂ２と連結できる形状およびサイズを有している。第２の凸型連結部１０３ａ１の形状およびサイズと第２の凹型連結部１０３ａ２の形状およびサイズも、本実施形態において実質的に同一である。なお、第１の凸型連結部１０３ａ１の形状およびサイズと第２の凸型連結部１０３ｂ１の形状およびサイズは、同一である必要は無いが、同一であってもよいし、何かの目的のために異なっていてもよい。
【００３４】
第１の凸型連結部１０３ａ１には、正極端子１０４ａ１が形成されている。この正極端子１０４ａ１はデバイス１０１の正極配線と電気的に接続されている。正極端子１０４ａ１の表面側は、図２Ａでは外部に露出しているように記載されているが、実際には、図２Ｂに示すように、露出していない。本実施形態では、パッケージ１０２を構成している材料、典型的には樹脂により、正極端子１０４ａ１の表面側が覆われている。正極端子１０４ａ１の裏面側は、電気的な接続を実現できるように露出している。この点については、断面構造を示す図３を参照して後述する。
【００３５】
第１の凹型連結部１０３ａ２には、負極端子１０４ａ２が形成されている。この負極端子１０４ａ２はデバイス１０１の負極配線と電気的に接続されている。負極端子１０４ａ２の表面側は、図２Ａに示すように外部に露出している。実際の構造は、表面側は露出しているが、裏面側は露出していない。パッケージ１０２を構成している材料、典型的には樹脂により、負極端子１０４ａ２の裏面側は覆われている。負極端子１０４ａ２の表面側は、電気的な接続を実現できるように露出している。この点については、図３を参照して後述する。
【００３６】
図２Ａに示される例では、パッケージ１０２には、デバイス１０１の光入射面１０１ａに光を通すための窓が設けられ、この窓にはガラス１０５が設けられている。ガラス１０５は、デバイス１０１を外部の水分等から保護する役割を有し、かつ、光入射面１０１ａに光を入射させる役割を果たす。窓には、ガラス１０５に代えて、例えばアクリルなどの透明部材を設けてもよい。
【００３７】
図２Ａに示すように、パッケージ１０２には、第２の凸型連結部１０３ｂ１および第２の凹型連結部１０３ｂ２が形成されている。第２の凸型連結部１０３ｂ１には端子１０４ｂ１が形成され、第２凹型連結部１０３ｂ２には端子１０４ｂ２が形成されている。本実施形態におけるパッケージ１０２に予め設けられていた端子１０４ｂ１、１０４ｂ２は、このパッケージ１０２に収納されたデバイス１０１には電気的に接続されていない。この例では、一対の端子１０４ａ１、１０４ａ２を横切る断面（光入射面に垂直）が、もう一対の端子１０４ｂ１、１０４ｂ２を横切る断面（光入射面に垂直）と直交している。
【００３８】
１個のパッケージ１０２が４個の端子１０４ａ１、１０４ａ２、１０４ｂ１、１０４ｂ２を有することにより、複数の光電変換ユニット１０００を相互に電気的に接続する態様の自由度が増える。また、２個のデバイス１０１を１つのパッケージ１０２に収納するとき、一方のデバイス１０１を一対の端子１０４ａ１、１０４ａ２に接続し、他方のデバイス１０１を他の一対の端子１０４ｂ１、１０４ｂ２に接続してもよい。
【００３９】
光電変換ユニット１０００は、端子１０４ｂ１、１０４ｂ２を必須の構成要素として備える必要は無い。後に、図９を参照しながら、端子１０４ｂ１、１０４ｂ２が設けられていない形態を説明する。
【００４０】
＜パッケージ＞
図２Ｃは、図２Ａの光電変換ユニット１０００からデバイス１０１を除いたパッケージ１０２の構成を模式的に示している。パッケージ１０２の中央部には、デバイス収納部１０９が形成されている。デバイス収納部１０９の開口部の広さ、すなわちパッケージ１０９の窓の面積は、デバイス１０１の光電変換部１０１ａの表面（光入射面）の広さ（面積）にほぼ等しい。デバイス収納部１０９の深さは、デバイス１０１の厚さと、デバイス１０１の上に設置されるガラス１０５の厚さとの合計にほぼ等しいか、この合計よりも大きい。
【００４１】
図２Ｃは、第１の凸型連結部１０３ａ１、第１の凹型連結部１０３ａ２、第２の凸型連結部１０３ｂ１、および第２の凹型連結部１０３ｂ２で一部（接触面）を露出させるようにパッケージ１０２内に埋め込まれた状態の正極端子１０４ａ１、負極端子１０４ａ２、端子１０４ｂ１、および端子１０４ｂ２を模式的に示している。
【００４２】
＜光電変換デバイス＞
図２Ｄは、デバイス１０１の構成例を示す斜視図である。デバイス１０１の表面（パッケージ１０２の表面側）には、光電変換部１０１ａが形成されている。光電変換部１０１ａの背面側には、蓄電部１０１ｂが形成されている。本実施形態における蓄電部１０１ｂは固体電解質を用いた薄膜型蓄電池である。光電変換部１０１ａと蓄電部１０１ｂとを一体化したデバイス（ソーラー二次電池）の構造および製造方法は、例えば国際公開第２０１４／０１３６３７号に開示されている。デバイス１０１から正極配線（第１の接続配線）２１０ａ、負極配線（第１の接続配線）２１０ｂが形成され、外部の電極に接続され得るように構成されている。
【００４３】
図２Ｅは、デバイス１０１の等価回路図である。光電変換部１０１ａの正極と蓄電部１０１ｂの正極とが電気的に接続され、正極端子１０４ａ１に接続されている。また、光電変換部１０１ａの負極と蓄電部１０１ｂの負極とが電気的に接続され、負極端子１０４ａ２に接続されている。
【００４４】
本実施形態では、蓄電部１０１ｂに蓄積された電荷が光電変換部１０１ａに流れないようにダイオード２２０が設けられている。光が入射しないとき、光電変換部１０１ａの起電力は低下するため、蓄電部１０１ｂの電圧が光電変換部１０１ａの起電力を上回ることがありうる。そのような場合、ダイオード２２０が無いと、蓄電部１０１ｂから光電変換部１０１ａへ電流が流れてしまい、その結果として、蓄電部１０１ｂに蓄えられていた電力が消費（放電）されてしまう。このような放電を防止するため、本実施形態では、図２Ｅに示すようにダイオード（整流部）２２０を設け、それによって蓄電部１０１ｂから光電変換部１０１ａへの逆電流を防止している。
【００４５】
デバイス１０１の背面側には蓄電部１０１ｂが形成されているが、形成されていなくてもよい。デバイス１０１の表面側に光電変換部１０１ａが形成されているだけのものでもよい。
【００４６】
＜光電変換ユニットの詳細構成＞
図３を参照しながら、光電変換ユニット１０００の構成を詳説する。図３（ａ）は、光電変換ユニット１０００の平面図である。図３（ｂ）は、そのＡ１−Ａ２線断面図であり、図３（ｃ）は、そのＢ１−Ｂ２線断面図である。図３（ａ）では、デバイス１０１の電極の記載が省略されている。
【００４７】
本実施形態におけるパッケージ１０２は樹脂から形成されている。図３（ｂ）に示されるように、＋極の端子１０４ａ１の表面側は、樹脂で覆われているが、裏面側は樹脂で覆われずに、露出している。一方、−極の端子１０４ａ２の裏面側は樹脂で覆われているが、表面側は樹脂で覆われずに露出している。これにより、ある光電変換ユニット１０００における＋極の端子１０４ａ１の裏面側と、他の光電変換ユニット１０００における−極の端子１０４ａ２の表面側とを対向させ、かつ、両者を接触させることができ、それによって、隣接する２つの光電変換ユニット１０００を電気的に相互に接続することが可能になる（図１（ｂ）参照）。
【００４８】
図３（ｂ）、（ｃ）に示されている例では、デバイス１０１の全体が透光性・気密性樹脂３０６によって覆われており、透光性・気密性樹脂３０６がデバイス１０１を保護している。透光性・気密性樹脂３０６は必須ではなく、この樹脂３０６による保護がなくてもよい。
【００４９】
図３（ａ）〜（ｃ）から明らかなように、パッケージ１０２の第１の凸型連結部１０３ａ１はパッケージ１０２の本体側面から外部に横方向に突き出した形状を有している。この突き出した部分が、他のパッケージ１０２における第１の凹型連結部１０３ａ２に連結する。第１の凹型連結部１０３ａ２は、第１の凸型連結部１０３ａ１がぴったりと嵌り合う形状を有している。
【００５０】
図３（ａ）に示されるように、パッケージ１０２を表面の法線方向から視たとき、第１の凹型連結部１０３ａ２は、パッケージ１０２の外縁から内側に、第１の凸型連結部１０３ａ１の上面の面積に等しい面積だけ、入り込んだ形状を有している。これにより、第１の凸型連結部１０３ａ１が第１の凹型連結部１０３ａ２にぴったりと嵌り込み、連結が可能となる。同様に、第２の凹型連結部１０３ｂ２は、パッケージ１０２の外縁から内側に、第２の凸型連結部１０３ｂ１の上面の面積に等しい面積だけ、入り込んだ形状を有している。これにより、第２の凸型連結部１０３ｂ１が第２の凹型連結部１０３ｂ２にぴったりと嵌り込み、連結が可能となる。デバイス１０１は、パッケージ１０２の中心部に配置されるのではなく、その中心は、パッケージ１０２の中心部よりも、図中の左斜め上側にシフトしている。これは、デバイス１０１の光電変換部１０１ａの面積をできるだけ大きくするためである。
【００５１】
本実施形態における光電変換ユニット１０００では、図３（ａ）のＡ１−Ａ２線の方向に電気が流れる。なお、図３（ｂ）に示されるように、正極配線２１０ａおよび負極配線２１０ｂの高さ方向の位置は相互に異なる。言い換えると、光入射面に平行な任意の平面から正極配線２１０ａまでの距離と、その平面から負極配線２１０ｂまでの距離とは異なる。本実施形態では、＋極の端子１０４ａ１および−極の端子１０４ａ２の高さ方向位置が相互に異なるため、上記の高さ位置にある正極配線２１０ａおよび負極配線２１０ｂは、それぞれ、光入射面に平行な方向に真直ぐ伸ばすだけで、対応する端子１０４ａ１、１０４ａ２に接続しやすい。
【００５２】
図３（ｃ）に示されるように、本実施形態では、端子１０４ｂ１および端子１０４ｂ２がデバイス１０１と電気的に接続されておらず、端子１０４ｂ１と端子１０４ｂ２との間を電流は流れない。なお、デバイス１０１と、４つの端子１０４ａ１、１０４ａ２、１０４ｂ１、１０４ｂ２との接続は、この例に限定されない。例えば、デバイス１０１が端子１０４ａ１および端子１０４ｂ２に接続され、端子１０４ａ１が＋極端子、端子１０４ｂ２が−極端子として機能するように構成されていてもよい。
【００５３】
＜光電変換ユニット１０００の製造方法＞
次に、光電変換ユニット１０００の製造方法の一例を説明する。
【００５４】
まず、デバイス１０１を、パッケージ１０２を形成するための金型（図示せず）の中に配置する。金型の形状はパッケージ１０２の外形を規定する空間部を有している。この金型にパッケージ１０２を構成する樹脂を注入する。樹脂が固まった後、金型から光電変換ユニット１０００を取り出す。この状態でパッケージ１０２中にデバイス１０１が含まれている。この方法により、光電変換ユニット１０００を製造することができる。
【００５５】
光電変換ユニット１０００の製造方法は、上記の例に限定されない。
【００５６】
（実施形態２）
本開示の実施形態２として、パッケージが上下に分離（分割）された構成の光電変換装置を説明する。実施形態１では、パッケージ１０２は樹脂などの絶縁材料によって一体的に構成されていたが、実施形態２では、パッケージ４０２が製造工程の途中において上下に分離されている。
【００５７】
図４（ａ）および図４（ｂ）は、それぞれ、上部パッケージ（第１の分割パッケージ）４０２ａおよび下部パッケージ（第２の分割パッケージ）４０２ｂの斜視図である。
【００５８】
図４（ａ）に示すように、上部パッケージ４０２ａには、上部デバイス収納部４０９ａが設けられている。上部パッケージ４０２ａは、第１の凸型連結部１０３ａ１、第１の凹型連結部１０３ａ２、第２の凸型連結部１０３ｂ１、および第２の凹型連結部１０３ｂ２を有している。一方、下部パッケージ４０２ｂは、上部パッケージ４０２ａが有する連結部は有しておらず、その側面は平坦である。下部パッケージ４０２ｂには、下部デバイス収納部４０９ｂとして機能する凹部（デバイス載置部）が設けられている。
【００５９】
本実施形態において、上部デバイス収納部４０９ａおよび下部デバイス収納部４０９ｂの深さの合計は、デバイス１０１の厚さとガラス１０５の厚さとの合計に等しく設計されている。これにより、デバイス１０１とガラス１０５を収納部に収納したときにパッケージの外部と面一になる。
【００６０】
なお、デバイス１０１が上部パッケージ４０２ａに比べて相対的に薄い場合、下部パッケージ４０２ｂには、下部デバイス収納部４０９ｂが形成される必要は無い。この場合、下部パッケージ４０２ｂの上面は、平坦であってもよいし、上部デバイス収納部４０９ａ内に突出してデバイス１０１を支持する載置台を有していてもよい。
【００６１】
次に、図５を参照しながら、本実施形態における光電変換ユニット１０００の製造方法を説明する。
【００６２】
図５（ａ）は、上部パッケージ４０２ａと下部パッケージ４０２ｂとが重なった状態を示す断面図である。図４における端子１０４ａ１の中心と端子１０４ａ２の中心を横切る断面を示している。上部パッケージ４０２ａの開口部（図５（ｂ）の破線で囲まれた領域）と下部パッケージ４０２ｂの凹部空間とによってデバイス収納部５０９が構成されている。上部パッケージ４０２ａの開口部および下部パッケージ４０２ｂの凹部空間は、それぞれ、図４の上部デバイス収納部４０９ａおよび下部デバイス収納部４０９ｂである。
【００６３】
上部パッケージ４０２ａには、パッケージ側正極配線５１１ａが形成されている。配線５１１ａは、最終的にはデバイス１０１の正極配線２１０ａと重なり、正極端子１０４ａ１と電気的に接続される。同様に、下部パッケージ４０２ｂには、パッケージ側負極配線５１１ｂが形成されている。配線５１１ｂは、最終的には、デバイス１０１の負極配線２１０ｂと重なり、負極端子１０４ａ２と電気的に接続される。
【００６４】
次に、図５（ｂ）に示すように、上部パッケージ４０２ａと下部パッケージ４０２ｂとを分離する。
【００６５】
その後、図５（ｃ）に示すように、分離した上下パッケージ４０２ａ、４０２ｂの間に、デバイス１０１を配置する。デバイス１０１の正極配線２１０ａおよび負極配線２１０ｂ、ならびに、パッケージ側正極配線５１１ａおよびパッケージ側負極配線５１１ｂは、上記の電気的接続が実現するように構成されている。
【００６６】
図５（ｄ）に示すように、上部パッケージ４０２ａと下部パッケージ４０２ｂとを接合してパッケージ４０２内にデバイス１０１を収容した後、パッケージ４０２内に収容されたデバイス１０１を覆うようにガラス１０５を上部パッケージ４０２ａの開口部に取り付ける。これにより、光電変換ユニット１０００を製造することができる。
【００６７】
（実施形態３）
実施形態２では、製造工程の途中においてパッケージが上下に分離されていたが、本実施形態では、パッケージは水平横方向に分離される。
【００６８】
図６Ａは、左右分割パッケージを用いた光電変換ユニットの製造工程を示す斜視図であり、図６Ｂは、左右分割パッケージを用いた光電変換ユニットの製造工程を示す上面図である。
【００６９】
第１の分割パッケージ６０２ａと第２の分割パッケージ６０２ｂとによって、パッケージ６０２が構成されている。第１の分割パッケージ６０２ａには、第１の凸型連結部１０３ａ１の半分、第２の凸型連結部１０３ｂ１、および第１の凹型連結部１０３ａ２の半分が形成されている。第２の分割パッケージ６０２ｂには、第１の凸型連結部１０３ａ１の半分、第２の凹型連結部１０３ｂ２、および第１の凹型連結部１０３ａ２の半分が形成されている。
【００７０】
デバイス１０１がデバイス収納部６０９に搭載された後、第１の分割パッケージ６０２ａと第２の分割パッケージ６０２ｂとが接合される。こうして、パッケージ６０２が形成され、光電変換ユニット１０００が製造される。図６Ｃは、こうして製造された光電変換ユニット１０００の上面図であり、図６Ｄは、そのＡ１−Ａ２線断面図である。
【００７１】
（実施形態４）
次に、図７および図８を参照しながら、本開示の実施形態４を説明する。
【００７２】
本実施形態は、光電変換デバイス７０１の構成が上記の実施形態における光電変換デバイスの構成から異なっている。その他の点は他の実施形態と共通している。このため、ここでは、光電変換デバイス７０１の構成のみを説明する。
【００７３】
図７に示される本実施形態における光電変換デバイス７０１は、基本的には、図２Ｄおよび図２Ｅに示される光電変換デバイス１０１と同様の構成を備え、かつ、正極配線２１０ａに接続された正極端子７０４ａ１と、負極配線２１０ｂに接続された負極端子７０４ａ２とを備えている。光電変換デバイス７０１の本体は透光性・気密性樹脂７０６によって覆われている。
【００７４】
次に、図８を参照して、光電変換デバイス７０１を用いた製造方法を説明する。ここでは、図６Ａおよび図６Ｂを参照して説明した分割パッケージを用いる。
【００７５】
図８に示されるように、第１の分割パッケージの凸型連結部１０３ａ１の半分および第２の分割パッケージの凸型連結部１０３ａ１の半分により、デバイス１０１の正極端子７０４ａ１が挟み込まれる。また、同様に、第１の分割パッケージの凹型連結部１０３ａ２の半分および第２の分割パッケージの凹型連結部１０３ａ２の半分により、負極端子７０４ａ２が挟み込まれる。これにより光電変換ユニット１０００が形成される。
【００７６】
＜パッケージバリエーション＞
図９（ａ）および（ｂ）は、パッケージの変形例を示す斜視図である。
【００７７】
この変形例におけるパッケージ９０２では、第２の凸型連結部１０３ｂ１および第２の凹型連結部１０３ｂ２が端子を有していない。電気的な接続が必要な連結部１０３ａ１、１０３ａ２のみに端子が形成されている。図９（ａ）は、パッケージ９０２を透過するように記載しており、パッケージ９０２の内部に位置する端子１０４ａ１、１０４ａ２を示している。図９（ｂ）は、パッケージ９０２の外観を示している。端子１０４ａ１の表面側は、樹脂に覆われているため、この角度からは見えない。端子１０４ａ２の表面側は露出している。
【００７８】
第１の凸型連結部１０３ａ１、第２の凹型連結部は、機械的および電気的な接続をするために形成されている。一方、第２の凸型連結部１０３ｂ１および第２の凹型連結部１０３ｂ２は電気的な接続には寄与せず、機械的な接続をするために形成されている。
【００７９】
＜光電変換装置同士を接続させた構成＞
図１０は、６個の光電変換ユニットが配列された光電変換装置の平面図である。
【００８０】
この例では、Ａ１−Ａ２線方向に３つの光電変換ユニット１０００ａ１、１０００ｂ１、１０００ｃ１が配列され、かつ、電気的にも直列に接続されている。同様に、Ａ３−Ａ４線方向に３つの光電変換ユニット１０００ａ２、１０００ｂ２、１０００ｃ２が配列され、かつ、電気的にも直列に接続されている。Ａ１−Ａ２線方向に配列された３個の光電変換ユニット１０００ａ１、１０００ｂ１、１０００ｃ１と、Ａ３−Ａ４線方向に配列された３個の光電変換ユニット１０００ａ２、１０００ｂ２、１０００ｃ２との間は、電気的には接続されておらず、機械的に連結されているだけである。本実施形態における光電変換ユニット１０００ａ１、１０００ｂ１、１０００ｃ１、１０００ａ２、１０００ｂ２、１０００ｃ２は、実施形態１における光電変換ユニット１０００と同一の構成を有している。これらの光電変換ユニットは、他の実施形態における光電変換ユニット１０００と同一の構成を有していてもよい。
【００８１】
図１０から分かるように、複数の光電変換ユニット１０００が、あたかもジグソーパズルのピースのように連結される。嵌め合いによって連結した連結部１０３ａ１、１０３ａ２は、溶接や接着剤による永久的接続を行っていない。このため、任意の光電変換ユニットの取り外しも容易である。
【００８２】
本実施形態によれば、光電変換ユニット１０００の組合せ・配列の自由度が高い。図１０の例では、６個の光電変換ユニット１０００が２行３列（横方向にユニットが３個、縦方向にユニットが２個配列）に配列されているが、光電変換ユニット１０００の組合せ・配列は任意である。
【００８３】
本実施形態によれば、光電変換装置１００の構成を施工者が容易に設計・施工することもできるし、光電変換ユニット１０００の交換や修理を含む保守を容易に行える。また、光電変換装置１００において充電の完了した光電変換ユニット１０００を、ユーザが、未充電の光電変換ユニット１０００と交換することも容易に行える。
【００８４】
＜連結装置（コネクタ）の構成＞
図１１は光電変換ユニット１０００を接続するための連結装置（コネクタ）の構成を示す図である。
【００８５】
図１１（ａ）は、コネクタ１１００の平面図である。コネクタ１１００の一端には、凸型連結部１１０３ｂ１が形成されている。この連結部１１０３ｂ１は、丸みを帯びた凸形状を有している。連結部１１０３ｂ１の形状および大きさは、光電変換ユニットの凸型連結部の形状および大きさと同じである。連結部１１０３ｂ１には、端子１１０４ｂ１が形成されている。この端子１１０４ｂ１には内部配線１１１０が接続されている。
【００８６】
一方、コネクタ１１００の他端には、凹型連結部１１０３ｂ２が形成されている。この連結部１１０３ｂ２は丸みを帯びて窪んだ形状を有している。凹型連結部１１０３ｂ２の形状および大きさは、光電変換ユニットの凹型連結部の形状および大きさと同じである。この連結部１１０３ｂ２には、端子１１０４ｂ２が形成されている。この端子１１０４ｂ２には内部配線１１１０が接続されている。
【００８７】
図１１（ｂ）は、コネクタ１１００の構成を示す斜視図である。凸型連結部１１０３ｂ１の下側は切欠きである。言い換えると、コネクタ１１００の一端において上部が飛び出した形状を有している。反対に、凹型連結部１１０３ｂ２は上側が切欠きであり、凸型連結部１１０３ｂ１がぴったりとはまる形状に窪んでいる。
【００８８】
凹型連結部１１０３ａ２はコネクタ１１００の一端と他端との間の一辺に形成されている。凹型連結部１１０３ａ２も凹型連結部１１０３ｂ２と同じ形状を有している。
【００８９】
図１２（ａ）は、図１１（ａ）のＡ１−Ａ２線断面図、図１２（ｂ）は、図１１（ａ）のＢ１−Ｂ２線断面である。図１２（ａ）、（ｂ）に示すように、コネクタ１１００の中央部の片側の側面には、コネクト電極１１０４ａ２が形成されている。このコネクト電極１１０４ａ２は、光電変換ユニット１０００の凸型連結部１０３ａ１と接続される。本体１１０２内部には、内部配線１１１０が形成され、配線１１１０は、端子１１０４ｂ１と端子１１０４ｂ２とを接続している。よって端子１１０４ｂ１、１１０４ｂ２、１１０４ａ２とは、内部配線１１１０により電気的に接続されていることがわかる。
【００９０】
また図１２に示すように、コネクト電極１１０４ａ２及びコネクト電極１１０４ｂ２は、上面は電気的な接続のために露出し、下面は露出していない。一方、コネクト電極１１０４ｂ１は下面が露出し、上面が露出していない。
【００９１】
図１３を参照しながら、直列に接続された３個の光電変換ユニットの組をコネクタ１１００で並列に接続した形態を説明する。図１３に示される光電変換装置１００の概略構成は、図１０に示される光電変換装置１００の概略構成とほぼ同じである。異なる点は、図１３の光電変換装置が２個のコネクタ１１００を有している点にある。連結した２個のコネクタ１１００は、「Ａ１−Ａ２線方向に連結した３個の光電変換ユニット」と「Ａ３―Ａ４線方向に連結した３個の光電変換ユニット」とを並列に接続している。このような構成により、コネクタ１１００は配線の役割をも果たし、端子１１０４ｂ１および端子１１０４ｂ２から３直２並列（３つの直列接続が２つ並列に接続）の電位を取り出すことができる。
【００９２】
光電変換ユニット１０００を連結するためのコネクタは、図１１に示される形態に限定されない。コネクタは、光電変換ユニットの凹型または凸型の連結部と嵌め合いなどによって機械的に結合し得る連結部を有し、かつ、連結部で電気的な接続を実現する端子および配線を有していれば、全体の形状およびサイズは任意である。コネクタは、例えば、連結された光電変換ユニットの回りを囲む「枠」の形状を有していてもよいし、各光電変換ユニットに直接に連結されるストライプ形状または格子形状を有していてもよい。
【００９３】
＜光電変換ユニットの使用態様＞
図１４は、光電変換ユニット１０００を用いて電子機器を充電している様子を示す図である。この光電変換ユニット１０００は、例えば図２Ａに示されている光電変換ユニット１０００であり、そのパッケージ内に収容されているデバイス１０１は蓄電部１０１ｂを備えている。
【００９４】
図１４に示されるように、蓄電部１０１ｂからスマートフォン１３０３が充電されている。光電変換ユニット１０００は、ジグソーパズルの１つのピースのように取り扱うことができるため、蓄電部１０１ｂに充電された状態の光電変換ユニット装置１０００は、単独で、電子機器の充電に使用できる。
【００９５】
図１４の例では、スマートフォン１３０３には接続ケーブル１３０２を介してアダプタ１３０１が接続されている。アダプタ１３０１に接続されたケーブル１３０２は、スマートフォン１３０３のＵＳＢ（Ｕｎｉｖｅｒｓａｌ  Ｓｅｒｉａｌ  Ｂｕｓ）端子に接続される。このアダプタ１３０１には、光電変換ユニット１０００が装填されており、光電変換ユニット１０００の蓄電部１０１ｂに充電されていた電力を、スマートフォン１３０３に供給し、スマートフォン１３０３を充電する。なお、図１４に示される例では、充電中においても、光電変換ユニット１０００の光電変換部は光照射によって発電を行うことができる。
【００９６】
この例における光電変換ユニット１０００のサイズは、例えば、縦２０ｍｍ、横２０ｍｍ、厚さ３ｍｍ程度であり、小型で携帯に便利である。アダプタ１３０１と光電変換ユニット１０００との機械的・電気的接続は、例えば、コネクタ１１００が有する連結部およびコネクト電極と同様の構成によって実現し得る。
【００９７】
なお、光電変換ユニット１０００は、携帯に適したサイズを有している必要はなく、例えば、縦１００ｍｍ、横１５０ｍ、厚さ１０ｍｍを超えるようなサイズを有していてもよい。また、１個のアダプタ１３０１は、複数の光電変換ユニット１０００を取り付ける構造を有していてもよい。１個のアダプタ１３０１において、複数の光電変換ユニット１０００は積層されてもよいし、並列的に配列されてもよい。
【００９８】
また、電子機器がアダプタを介することなく光電変換ユニット１０００を直接に収容し、電気的に接続する機構を備えていてもよい。
【００９９】
＜光電変換ユニットの形状の他の例＞
上記の各実施形態における光電変換ユニットは、いずれも、表面側から視たときの形状が略正方形であるが、本開示による光電変換ユニットの表面側から視たときの形状は、正方形に限定されない。例えば図１５に示されるように、長方形でもよいし、図１６に示されるように三角形でもよいし、図面には示されている他の形状（六角形などの多角形）でもよい。また、１個の光電変換装置内で配列される光電変換ユニットの形状およびサイズが共通である必要もなく、多様な形状およびサイズの光電変換ユニットが連結されて使用され得る。
【０１００】
図１５（ａ）は光電変換ユニットの平面図であり、図１５（ｂ）には、図１５(ａ)に示した光電変換ユニット１０００を３個直列に連結した光電変換装置が示されている。
【０１０１】
図１６（ａ）に示される光電変換ユニット１０００は、表面側から視た形状が正三角形である。図１７（ａ）は、図１６（ａ）のＡ１−Ａ２線断面図であり、図１７（ｂ）は、図１６（ａ）のＢ１−Ｂ２線断面図である。
【０１０２】
図１６および図１７から分かるように、正三角形の一辺に１個の凸型連結部１０３ａ１が設けられており、他の２辺の１つには凹型連結部１０３ａ２が設けられている。図１６（ｂ）に示されるように、凸型連結部１０３ａ１と凹型連結部１０３ａ２とが連結し、これによって電気的な接続も実現する。この例では、光電変換デバイス１０１の光入射面も三角形の形状を有しているが、パッケージの表面の概略形状と光電変換デバイスの概略形状が一致している必要はない。
【０１０３】
＜光電変換デバイスの内部回路＞
図１８は、本開示の実施形態による光電変換デバイス１０１の他の例における等価回路を示している。図１８に例示される等価回路が図２Ｅの等価回路と異なる点は、図１９の回路(内部回路)が、昇圧回路２４０、スイッチ回路２５０、および電圧モニタ回路２６０を備え、充電を制御する点にある。スイッチ回路２５０は、例えばＭＯＳ型トランジスタまたはバイポーラトランジスタであり得る。
【０１０４】
図１８の回路構成を備える光電変換デバイス１０１では、光電変換部１０１ａに昇圧回路２４０が接続されている。この昇圧回路２４０は、光電変換部１０１ａで発生した電圧を、たとえば約５ボルト程度に昇圧することができる。電圧モニタ回路２６０は、蓄電部１０１ｂの正極および負極に接続されている。電圧モニタ回路２６０は、蓄電部１０１ｂの電圧を計測する。蓄電部１０１ｂに基づいて、蓄電部１０１ｂの蓄電状態（満充電または未充電等）を判定することができる。
【０１０５】
正極配線２１０ａと負極配線２１０ｂの間には、蓄電部１０１ｂと直列にスイッチ回路２５０が接続されている。スイッチ回路２５０は、蓄電部１０１ｂの電圧に応じて、蓄電部１０１ｂに流れる電流を制御することができる。たとえば、電圧モニタ回路２６０によって蓄電部１０１ｂが満充電状態にあるとき、スイッチ回路２５０をオフにして、電流の流れを遮断することができる。スイッチ回路２５０をオフにすると、光電変換部１０１ａで発生した電圧（電流）を正極端子１０４ａ１と負極端子１０４ａ２との間に与えることができる。後述するように、この電圧(電流)を利用することにより、図１８には示されていない他の光電変換デバイスの蓄電部１０１ｂを充電することができる。
【０１０６】
なお、特別な制御回路を採用することなく、電圧モニタ回路２６０とスイッチ回路２５０とを電気的に接続してもよい。電圧モニタ回路２６０およびスイッチ回路２５０は、蓄電部１０１ｂの電圧に応じてスイッチ回路２５０のオン／オフ動作を制御するように構成され得る。例えば、スイッチ回路２５０がＭＯＳ型トランジスタである場合、蓄電部１０１ｂの電圧に応じた電位をＭＯＳ型トランジスタのゲート電極に印加するような回路構成を採用すれば、必要な機能を各光電変換デバイス内に与えることが可能である。
【０１０７】
蓄電部１０１ｂが満充電になっていないとき、電圧モニタ回路２６０による検出結果に応じてスイッチ回路２５０がオンになる。その結果、光電変換部１０１ａで発生した電圧は、昇圧回路２４０を介して蓄電部１０１ｂに印加され、蓄電部１０１ｂに電流が流れ、充電が実行される。
【０１０８】
図１９は、複数の光電変換デバイスが接続された光電変換装置における等価回路図の一部である。この接続は、例えば図１３に示されるように、複数の光電変換ユニット１０００を二次元的に組み合わせて配列することにより実現され得る。図１９には、図１８に示される基本回路(内部回路)を並列的に接続した構成が示されている。
【０１０９】
以下、図中の光電変換デバイス１０１−１を「セル１」と称し、光電変換デバイス１０１−２を「セル２」と称することとする。セル１およびセル２の間で、対応する正極端子１０４ａ１が相互に接続され、対応する負極端子１０４ａ１が相互に接続されている。セル１およびセル２の各々の回路は、図１８に示される回路と同様の構成を有しているため、セル１、２の回路構成については、ここで説明を繰り返さない。
【０１１０】
図１９の例では、セル１の蓄電部１０１ｂおよびセル２の蓄電部１０１ｂがいずれも満充電の状態に無い。また、セル１の光電変換部１０１ａおよびセル２の光電変換部１０１ａは、ともに光を受けて電圧を発生させている。この場合には、蓄電部１０１ｂの電圧が低いため、セル１およびセル２のスイッチ回路２５０がいずれもオン状態となり、それぞれのセルの蓄電部１０１ｂに充電が行われる。
【０１１１】
本実施形態によれば、複数の光電変換ユニット１０００が相互に接続された状態のままで、個々の光電変換デバイス１００内の蓄電部１０１ｂに充電を行うことができる。すなわち、電気的／機械的に接続された状態の複数の光電変換ユニット１０００から、個々の光電変換ユニット１０００を１つ１つ取り外して個別の状態にすることなく、例えば図１３に示される形態のままで、必要な充電を行うことが可能である。このように本実施形態の光電変換装置によれば、光電変換デバイス１００から電力を外部に取り出すときだけではなく、光電変換デバイス１００に電力を蓄積するときにおいても、複数の光電変換ユニット(光電変換デバイス１００)を接続した状態で動作させることができる。このことは、後述する利点を提供する。
【０１１２】
なお、本開示の実施形態では、相互に接続されるセル(光電変換デバイス)の個数は２個に限定されず、３個以上であってもよい。
【０１１３】
図２０は、セル１の蓄電部１０１ｂおよびセル２の蓄電部１０１ｂがいずれも満充電の状態にある例を示している。また、この例では、セル１の光電変換部１０１ａおよびセル２の光電変換部１０１ａには光が入射し、ともに電圧を発生させている。この場合、セル１およびセル２のスイッチ回路２５０がともにオフとなる。その結果、セル１、２の各蓄電部１０１ｂは充電されない。電流は、セル１およびセル２以外のセル（不図示）の充電に使われる。より詳細には、セル１からは電流Ｉ１が流れ、セル２からは電流Ｉ２が流れる。セル１およびセル２から外部のセルに電流Ｉ１＋Ｉ２が流れ、満充電にない蓄電部の充電に使われる。本実施形態によれば、相互に接続された複数の光電変換デバイスのいずれかにおける蓄電部１０１ｂが満充電のとき、その光電変換デバイスによる発電を無駄にすることなく、接続された他の光電変換デバイスにおける蓄電部１０１ｂの充電に活用され得る。
【０１１４】
図２１は、セル１の蓄電部１０１ｂが満充電であり、セル２の蓄電部１０１ｂが未充電である例を示している。また、この例では、セル１の光電変換部１０１ａおよびセル２の光電変換部１０１ａは、ともに光を受けて電圧を発生させている。この場合には、セル１のスイッチ回路２５０がオフとなり、セル２のスイッチ回路２５０はオンとなる。そして、セル１の蓄電部１０１ｂが充電されず、セル１で発生した電流Ｉ１はセル２に流れ、セル２の蓄電部１０１ｂの充電に使われる。この結果、セル２で発生した電流Ｉ２とともに電流Ｉ１＋Ｉ２が、セル２の蓄電部１０１ｂの充電に活用される。このため、セル２で発生する電流だけでセル２の蓄電部１０１ｂを充電するよりも、充電時間を短縮することができる。このように本実施形態では、１つのセルの蓄電部１０１ｂが満充電であるとき、そのセルによる発電を無駄にすることなく、他のセルの蓄電部１０１ｂの充電に活用することができる。
【０１１５】
図２２は、セル１の蓄電部１０１ｂが満充電であり、セル２の蓄電部１０１ｂが未充電である例を示している。また、この例では、セル１の光電変換部１０１ａには光が入射しているが、セル２の光電変換部１０１ａに光が入射していない。このため、セル１の光電変換部１０１ａには電圧が発生しているが、セル２の光電変換部１０１ａでは電圧が発生していない。このような場合、セル１のスイッチ回路２５０がオフとなり、セル２のスイッチ回路２５０はオンとなる。そして、セル１の蓄電部１０１ｂは充電されずに、電流はセル１からセル２に流れ、セル２の蓄電部１０１ｂの充電に使われる。セル１で発生した電流Ｉ１は、セル２に流れ（電流：Ｉ１）、セル２の蓄電部１０１ｂの充電に活用される。これによりセル２で光電変換部１０１ａに電圧が発生していなくても、セル２の蓄電部１０１ｂを充電することができる。このように本実施形態では、１つのセルの蓄電部１０１ｂが満充電であっても、そのセルで発生した電圧・電流を無駄にすることなく、隣接セルの蓄電部１０１ｂの充電に活用することができる。
【０１１６】
上記の実施形態によれば、電気的に相互に接続された複数の光電変換デバイスの各々が、光電変換部と、当該光電変換部に電気的に接続された蓄電部と、充電制御回路(スイッチ回路および電圧モニタ回路)とを有している。そのため、１つの光電変換装置に含まれる複数の蓄電部の充電状態および光照射状況に応じて、無駄を低減した充電が可能になる。すなわち、電気的／機械的に接続された状態の複数の光電変換ユニット１０００から、個々の光電変換ユニット１０００を１つ１つ取り外して個別の状態にすることなく、必要な充電を行うことが可能である。このように本実施形態の光電変換装置によれば、光電変換デバイス１００から電力を外部に取り出すときだけではなく、光電変換デバイス１００に電力を蓄積するときにおいても、複数の光電変換ユニット(光電変換デバイス１００)を接続した状態で動作させることができる。
【０１１７】
なお、電圧モニタ回路２６０の出力に基づいてスイッチ回路２５０のオン／オフを制御するための制御回路を、各光電変換デバイスの外側に配置しても良い。例えば、図１３に示されるコネクタ１１１０(連結装置)の内部に、そのような充電制御回路の全部または一部を設けても良い。
【０１１８】
なお、個々の光電変換ユニット１０００が光電変換部、蓄電部、および充電制御回路を備える場合、各光電変換ユニット１００は、他の光電変換ユニットに接続されていない状態でも、単独で、発電および充電が可能である。
【０１１９】
上記の各実施形態によれば、光電変換ユニットを「ジグソーパズル」のピースのように「連結・取り外し」が容易に行えるため、光電変換ユニットの組み合わせの自由度が高まる。そのため、光電変換装置が出力することが要求される電圧に応じて、その光電変換装置を構成する光電変換ユニットの個数および接続形態を自由に設定し、また、変更することができる。
【０１２０】
連結部が「嵌め合い」によって連結する実施形態では、一般的なハンドリング時や使用時の衝撃によっては連結が外れにくく、ユーザまたは施工者による脱着も容易に行える。このため、メインテナンスがしやすく、また、光電変換装置を構成する複数の光電変換ユニットから任意の光電変換ユニットを取り出して、それを単独または複数で使用することもできる。
【０１２１】
上記の実施形態における連結装置を用いることにより、１つまたは直列に接続された複数の光電変換ユニットを更に「並列」に接続することができる。しかも、連結装置の連結部が、個々の光電変換ユニットの連結部と連結することができるため、連結部と光電変換ユニットとの連結・取り外しも容易である。
【０１２２】
光電変換デバイスが蓄電部（二次電池）を備える形態では、個々の光電変換ユニットは、光電変換装置の部品としてではなく、独立して通常の小型電池としても使用され得る。なお、光電変換ユニットのサイズは、小型である必要はなく、例えば１辺が１０ｃｍを超える矩形の形状を有していてもよい。
【産業上の利用可能性】
【０１２３】
本開示によれば光電変換ユニットの連結および取り外しが容易であるため、光電変換装置の形状および出力電圧の自由度が高く、様々な用途に利用され得る。
【符号の説明】
【０１２４】
１０      光電変換ユニット
１１      光電変換デバイス
１１ａ    光入射面
１２      パッケージ
１２ａ    パッケージの表面
１２ｂ    パッケージの裏面
１２ｃ    パッケージの側面
１４      第１の連結部
１５      第２の連結部
１６      第１の端子
１７      第２の端子
１００      光電変換装置
１０１      光電変換デバイス
１０１ａ    光電変換部
１０１ｂ    蓄電部
１０２      パッケージ
１０３ａ１  凸型連結部（第１の連結部）
１０３ｂ１  凸型連結部（第２の連結部）
１０３ａ２  凹型連結部（第３の連結部）
１０３ｂ２  凹型連結部（第４の連結部）
１０４ａ１      正極端子
１０４ａ２      負極端子
１０５      ガラス
１０９      デバイス収納部
２１０ａ    正極配線
２１０ｂ    負極配線
３０６      透光性・気密性樹脂
４０２      パッケージ
４０２ａ    上部パッケージ
４０２ｂ    下部パッケージ
４０９ａ    上部デバイス収納部
４０９ｂ    下部デバイス収納部
５１１ａ    パッケージ側正極配線
５１１ｂ    パッケージ側負極配線
６０２      パッケージ
６０２ａ    第１の分割パッケージ
６０２ｂ    第２の分割パッケージ
６０９      デバイス収納部
７０１      光電変換デバイス
７０４ａ１  正極端子
７０４ａ２  負極端子
１０００      光電変換ユニット
１１１０      連結装置（コネクタ）
１１０２      本体
１１０３ａ２  凹型連結部
１１０３ｂ１  凸型連結部
１１０３ｂ２  凹型連結部
１１１０      内部配線
１３０１      アダプタ
１３０２      接続ケーブル
１３０３      スマートフォン
【図１】
2015045231.tif 000003
【図２Ａ】
2015045231.tif 000004
【図２Ｂ】
2015045231.tif 000005
【図２Ｃ】
2015045231.tif 000006
【図２Ｄ】
2015045231.tif 000007
【図２Ｅ】
2015045231.tif 000008
【図３】
2015045231.tif 000009
【図４】
2015045231.tif 000010
【図５】
2015045231.tif 000011
【図６Ａ】
2015045231.tif 000012
【図６Ｂ】
2015045231.tif 000013
【図６Ｃ】
2015045231.tif 000014
【図６Ｄ】
2015045231.tif 000015
【図７】
2015045231.tif 000016
【図８】
2015045231.tif 000017
【図９】
2015045231.tif 000018
【図１０】
2015045231.tif 000019
【図１１】
2015045231.tif 000020
【図１２】
2015045231.tif 000021
【図１３】
2015045231.tif 000022
【図１４】
2015045231.tif 000023
【図１５】
2015045231.tif 000024
【図１６】
2015045231.tif 000025
【図１７】
2015045231.tif 000026
【図１８】
2015045231.tif 000027
【図１９】
2015045231.tif 000028
【図２０】
2015045231.tif 000029
【図２１】
2015045231.tif 000030
【図２２】
2015045231.tif 000031
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
配列された複数の光電変換ユニットを備える光電変換装置であって、
前記複数の光電変換ユニットの各々は、
光入射面を有する少なくとも１つの光電変換デバイスと、
前記光電変換デバイスを収納し、収納された前記光電変換デバイスの前記光入射面に光を入射させるように構成されたパッケージと、
を備えており、
前記パッケージは、
光が透過する窓を有する前面と、
裏面と、
前記前面と前記裏面との間の側面と、
前記側面から前記収容された光電変換デバイスの前記光入射面に平行な第１の方向に突出する第１の連結部であって、前記光電変換デバイスに電気的に接続された第１の極性の第１の端子を有する第１の連結部と、
前記側面から前記第１の方向に後退する第２の連結部であって、前記光電変換デバイスに電気的に接続された、前記第１の極性とは反対極性の第２の極性の第２の端子を有する第２の連結部と、
を有し、
前記複数の光電変換デバイスは、前記第１および第２の端子を介して電気的に接続されており、
前記光電変換デバイスは、光電変換部と、前記光電変換部に電気的に接続された蓄電部とを有する、光電変換装置。
【請求項２】
前記複数の光電変換ユニットは、前記第１の方向に沿って直列に配列された第１、第２、および第３の前記光電変換ユニットを含み、
前記第２の光電変換ユニットの前記第１の連結部は前記第１の光電変換ユニットの前記第２の連結部に連結し、前記第２の光電変換ユニットの前記第１の導電性端子が前記第１の光電変換ユニットの前記第２の導電性端子に電気的に接続され、
前記第２の光電変換ユニットの前記第２の連結部は、前記第３の光電変換ユニットの前記第１の連結部に連結し、かつ、前記第２の光電変換ユニットの前記第２の導電性端子が前記第３の光電変換ユニットの前記第１の導電性端子に電気的に接続されている、請求項１に記載の光電変換装置。
【請求項３】
前記複数の光電変換ユニットの各々は、
前記側面から前記光入射面に平行な、前記第１の方向とは異なる第２の方向に突出する第３の連結部と、
前記側面から前記第２の方向に後退する第３の連結部と、
を有し、
前記複数の光電変換ユニットは、前記第１の方向に沿って直列に配列された第４、第５、および第６の前記光電変換ユニットを含み、
前記第４、第５、および第６の光電変換ユニットの前記第３の連結部は、それぞれ、前記第１、第２、および第３の光電変換ユニットの第４の連結部に連結している、請求項２に記載の光電変換装置。
【請求項４】
光入射面を有する少なくとも１つの光電変換デバイスと、
前記光電変換デバイスを収納し、収納された前記光電変換デバイスの前記光入射面に光を入射させるように構成されたパッケージと、
を備え、
前記パッケージは、
光が透過する窓を有する前面と、
裏面と、
前記前面と前記裏面との間の側面と、
前記側面から前記収容された光電変換デバイスの前記光入射面に平行な第１の方向に突出する第１の連結部であって、前記光電変換デバイスに電気的に接続された第１の極性の第１の端子を有する第１の連結部と、
前記側面から前記第１の方向に後退する第２の連結部であって、前記光電変換デバイスに電気的に接続された、前記第１の極性とは反対極性の第２の極性の第２の端子を有する第２の連結部と、
を有する、光電変換ユニット。
【請求項５】
前記側面から前記光入射面に平行な、前記第１の方向とは異なる第２の方向に突出する第３の連結部と、
前記側面から前記第２の方向に後退する第４の連結部と、
を有する、請求項４に記載の光電変換ユニット。
【請求項６】
前記光電変換デバイスは、光電変換部と、前記光電変換部に電気的に接続された蓄電部とを有する、請求項４または５に記載の光電変換ユニット。
【請求項７】
前記光電変換部は前記光入射面側に位置し、前記蓄電部は前記光電変換部に対して前記光入射面の反対側に位置する、請求項６に記載の光電変換ユニット。
【請求項８】
前記蓄電部と前記光電変換部とを電気的に接続する内部回路を有している、請求項６または７に記載の光電変換ユニット。
【請求項９】
前記第３の連結部には第３の端子が形成され、前記第４の連結部には第４の端子が形成されている、請求項４から８のいずれかに記載の光電変換ユニット。
【請求項１０】
前記光入射面の法線方向から視たとき、前記光電変換デバイスの中心位置は前記光電変換ユニットの中心位置から前記第一の方向にシフトしている、請求項４から９のいずれかに記載の光電変換ユニット。
【請求項１１】
前記光電変換デバイスを前記第１の端子に接続する第１の接続配線と、
前記光電変換デバイスを前記第２の端子に接続する第２の接続配線と、
を有し、
前記光入射面に平行な平面から前記第１の接続配線までの距離は、前記平面から前記第２の接続配線までの距離とは異なる、請求項４から１０のいずれかに記載の光電変換ユニット。
【請求項１２】
前記第１の連結部における裏面側の面と前記第２の連結部における表面側の面とは、ほぼ同一平面上に位置している請求項４から１１のいずれかに記載の光電変換ユニット。
【請求項１３】
前記パッケージは、
前記前面を含み、前記第１および第２の連結部を有する第１の分割パッケージと、
前記光電変換デバイスを載せる面を有し、前記第１の分割パッケージの裏面に接合された第２の分割パッケージと、
を有している、請求項４から１２のいずれかに記載の光電変換ユニット。
【請求項１４】
前記パッケージは、
前記前面の一部を含む第１の分割パッケージと、
前記前面の他の部分を含み、前記第１の分割パッケージの側面に接合された第２の分割パッケージと、
を有している、請求項４から１２のいずれかに記載の光電変換ユニット。
【請求項１５】
請求項４に記載の第１および第２の光電変換ユニットを用意し、
前記第１の光電変換ユニットの前記第１の連結部と前記第２の光電変換ユニットの前記第２の連結部とを連結することにより光電変換装置を組み立てる、方法。
【請求項１６】
前記第１の光電変換ユニットの第１の光電変換デバイスと前記第２の光電変換ユニットの第２の光電変換デバイスとを電気的に直列に接続する、請求項１５に記載の方法。
【請求項１７】
請求項１に記載の光電変換装置を用意し、
前記光電変換装置に光を照射して前記光電変換デバイスの光電変換部に電力を発生させ、その電力を前記光電変換デバイスの蓄電部に充電する、光電変換装置の充電方法。
【国際調査報告】
2015045231.tif 000032
2015045231.tif 000033
2015045231.tif 000034
2015045231.tif 000035